(57)【要約】【課題】  片面が印刷済の印刷用紙における白地を無用に汚してしまう不具合を解消又は大幅に低減し、印刷品質の向上に貢献するとともに、少ない追加部品により容易かつ低コストの実施を可能にする。【解決手段】  ピックアップローラ３を、印刷用紙Ｐの上面に当接するセット位置Ｘｓ又は印刷用紙Ｐの上面から離間するリリース位置Ｘｒに変位させるローラ変位手段７と、ピックアップローラ３により送り出された印刷用紙Ｐがフィードローラ４により送り出される位置まで移動したことを検出する検出手段８と、検出手段８の検出によりローラ変位手段７を制御してピックアップローラ３をリリース位置Ｘｒに変位させ、かつフィードローラ４により送り出される印刷用紙Ｐに対する給紙が終了したならローラ変位手段７を制御してピックアップローラ３をセット位置Ｘｓに変位させる制御手段９を備える。【選択図】  図１
2006027780.tif 000002
【特許請求の範囲】
【請求項１】
給紙トレイに積重ねられた印刷用紙の上面に当接するピックアップローラと、このピックアップローラの搬送方向前方に配したフィードローラと、このフィードローラの下方に配したリタードローラとを有し、前記ピックアップローラと前記フィードローラを回転させて印刷用紙を一枚ずつ送り出す給紙ローラ機構を備える印刷装置の給紙機構において、前記ピックアップローラを、前記印刷用紙の上面に当接するセット位置又は前記印刷用紙の上面から離間するリリース位置に変位させるローラ変位手段と、前記ピックアップローラにより送り出された前記印刷用紙が前記フィードローラにより送り出される位置まで移動したことを検出する検出手段と、少なくとも前記検出手段の検出により前記ローラ変位手段を制御して前記ピックアップローラを前記リリース位置に変位させ、かつ前記フィードローラにより送り出される前記印刷用紙に対する給紙が終了したなら前記ローラ変位手段を制御して前記ピックアップローラを前記セット位置に変位させる制御手段を備えることを特徴とする印刷装置の給紙機構。
【請求項２】
前記ローラ変位手段は、昇降変位可能に支持された前記ピックアップローラを、少なくともリリース位置又はセット位置の一方に変位させる駆動ソレノイドを備えることを特徴とする印刷装置の給紙機構。
【請求項３】
給紙トレイに積重ねられた印刷用紙の上面に当接するピックアップローラと、このピックアップローラの搬送方向前方に配したフィードローラと、このフィードローラの下方に配したリタードローラとを有し、前記ピックアップローラと前記フィードローラを回転させて印刷用紙を一枚ずつ送り出す印刷装置の給紙方法において、前記ピックアップローラを、前記印刷用紙の上面に当接させ、前記ピックアップローラの回転により前記印刷用紙を送り出すとともに、送り出された印刷用紙が前記フィードローラにより送り出される位置まで移動したなら、前記ピックアップローラを前記印刷用紙の上面から離間させ、かつ前記フィードローラにより送り出される前記印刷用紙に対する給紙が終了したなら前記ピックアップローラを前記印刷用紙の上面に当接させることを特徴とする印刷装置の給紙方法。
【請求項４】
前記印刷用紙は、片面が印刷済の印刷用紙であることを特徴とする請求項３記載の印刷装置の給紙方法。
【発明の詳細な説明】
【技術分野】
【０００１】
本発明は、給紙トレイに積重ねられた印刷用紙を一枚ずつ送り出す給紙ローラ機構を備える印刷装置の給紙機構及び給紙方法に関する。
【背景技術】
【０００２】
従来、名刺やはがき等の印刷を行う印刷装置は知られており、既に、本出願人も、このような用途に好適な印刷装置を、特開２００３−１２８２７８号公報により提案した。
【０００３】
ところで、この種の印刷装置には、通常、給紙トレイに積重ねられた印刷用紙を一枚ずつ送り出す給紙ローラ機構を有する給紙機構を備えており、同公報にも、給紙トレイに積重ねられた多数の被印刷物の最上面に当接するピックアップローラと、このピックアップローラの搬送方向前方に配したフィードローラと、このフィードローラの下方に配したリタードローラとを有し、ピックアップローラとフィードローラを回転させて被印刷物を一枚ずつ送り出す給紙ローラ機構を備えるとともに、ピックアップローラから給紙トレイ上の被印刷物に対して上方から付与する加重を、被印刷物の種類に応じて変更する加重変更機構を設けた印刷装置の給紙機構が開示されている。この給紙機構によれば、用紙が封筒の場合に生じる問題、即ち、複数の紙が重なっていること、貼付による段差があること、空気層を生じやすい袋状になっていること等、形状的に不安定となる各種要因を有することから、給紙に際して円滑かつ安定に送り込むことができないという封筒の場合に生じる問題が有効に解消され、封筒であってもピックアップミスの生じない円滑かつ安定した給紙が実現される。
【特許文献１】特開２００３−１２８２７８号
【発明の開示】
【発明が解決しようとする課題】
【０００４】
しかし、上述した従来における印刷装置の給紙機構は、印刷用紙が封筒の場合に生じる問題を解決したものであり、印刷用紙のサイズが大きい場合や両面印刷を行う場合に生じる不具合には対応できないという更なる解決すべき課題が存在した。
【０００５】
即ち、両面印刷を行う場合、給紙トレイには裏面の印刷された印刷用紙が積重ねられるため、ピックアップローラにより送り出される際には、このピックアップローラによって送り出される印刷用紙とこの下側の印刷用紙間に擦れが生じ、結局、送り出される印刷用紙の裏面における既印刷面の印刷色が下側の印刷用紙における白地に転写され、白地を汚してしまう問題を生じ、この問題は、印刷用紙のサイズが大きいほど大きくなる。なお、この問題は、現実には僅かであり無視できる汚れであったり或いは使用環境等により汚れが生じる虞があり現実には生じていないような場合であっても、例えば、業務用としての用途を考慮した場合、常に高品質の印刷面を確保する観点から必要な対策を施すことが望ましい。
【０００６】
本発明は、このような背景技術に存在する課題を解決した印刷装置の給紙機構及び給紙方法の提供を目的とするものである。
【課題を解決するための手段】
【０００７】
本発明に係る印刷装置Ｍの給紙機構１は、上述した課題を解決するため、給紙トレイ２に積重ねられた印刷用紙Ｐ…の上面に当接するピックアップローラ３と、このピックアップローラ３の搬送方向Ｆｃ前方に配したフィードローラ４と、このフィードローラ４の下方に配したリタードローラ５とを有し、ピックアップローラ３とフィードローラ４を回転させて印刷用紙Ｐを一枚ずつ送り出す給紙ローラ機構６を備える給紙機構であって、ピックアップローラ３を、印刷用紙Ｐの上面に当接するセット位置Ｘｓ又は印刷用紙Ｐの上面から離間するリリース位置Ｘｒに変位させるローラ変位手段７と、ピックアップローラ３により送り出された印刷用紙Ｐがフィードローラ４により送り出される位置まで移動したことを検出する検出手段８と、少なくとも検出手段８の検出によりローラ変位手段７を制御してピックアップローラ３をリリース位置Ｘｒに変位させ、かつフィードローラ４により送り出される印刷用紙Ｐに対する給紙が終了したならローラ変位手段７を制御してピックアップローラ３をセット位置Ｘｓに変位させる制御手段９を備えることを特徴とする。この場合、発明の好適な態様により、ローラ変位手段７には、昇降変位可能に支持されたピックアップローラ３を、少なくともリリース位置Ｘｒ又はセット位置Ｘｓの一方に変位させる駆動ソレノイド１１を用いることができる。
【０００８】
また、本発明に係る印刷装置Ｍの給紙方法は、上述した課題を解決するため、給紙トレイ２に積重ねられた印刷用紙Ｐ…の上面に当接するピックアップローラ３と、このピックアップローラ３の搬送方向Ｆｃ前方に配したフィードローラ４と、このフィードローラ４の下方に配したリタードローラ５とを有し、ピックアップローラ３とフィードローラ４を回転させて印刷用紙Ｐを一枚ずつ送り出すに際し、ピックアップローラ３を、印刷用紙Ｐの上面に当接させ、ピックアップローラ３の回転により印刷用紙Ｐを送り出すとともに、送り出された印刷用紙Ｐがフィードローラ４により送り出される位置まで移動したなら、ピックアップローラ３を印刷用紙Ｐの上面から離間させ、かつフィードローラ４により送り出される印刷用紙Ｐに対する給紙が終了したならピックアップローラ３を印刷用紙Ｐの上面に当接させるようにしたことを特徴とする。この場合、発明の好適な態様により、印刷用紙Ｐは、片面が印刷済の印刷用紙を用いて好適である。
【発明の効果】
【０００９】
このような本発明に係る印刷装置Ｍの給紙機構１及び給紙方法によれば、次のような顕著な効果を奏する。
【００１０】
（１）  印刷用紙Ｐがピックアップローラ３により送り出される際における印刷用紙Ｐ…同士の擦れを大幅に低減できるため、特に、片面が印刷済の印刷用紙Ｐ…における白地を無用に汚してしまう不具合を解消又は大幅に低減することができ、印刷品質の向上に貢献できる。
【００１１】
（２）  少ない追加部品により容易かつ低コストに実施することができるとともに、特に、好適な態様により、ローラ変位手段７に、昇降変位可能に支持されたピックアップローラ３を、少なくともリリース位置Ｘｒ又はセット位置Ｘｓの一方に変位させる駆動ソレノイド１１を用いれば、更なる実施の容易化と低コスト化に貢献できる。
【発明を実施するための最良の形態】
【００１２】
次に、本発明に係る最良の実施形態を挙げ、図面に基づき詳細に説明する。
【００１３】
まず、本発明の理解を容易にするため、印刷装置Ｍの全体の概要について、図５〜図７を参照して説明する。
【００１４】
図５は、印刷装置Ｍの外観構成を示す。印刷装置Ｍは、大別して、給紙部Ｕ１，搬送部Ｕ２，カラー印刷部Ｕ３及び排紙部Ｕ４を備えている。なお、６５は操作部である。この印刷装置Ｍは、特に、業務用として利用することができ、名刺印刷からポスター印刷など、印刷用紙Ｐ…には、大量かつ広範囲なサイズが利用可能である。
【００１５】
図６は、印刷装置Ｍにおける機械系の概略構成を示し、位置関係は、図５に示す印刷装置Ｍの外観構成に対応している。給紙部Ｕ１には、本実施形態に係る給紙機構１を内蔵する。この給紙機構１は、大量の印刷用紙Ｐ…をセットできる給紙トレイ２と、この給紙トレイ２を昇降させる給紙エレベータ機構７１と、給紙トレイ２上の印刷用紙Ｐ…から一枚ずつ印刷用紙Ｐを送り出す給紙ローラ機構６を備える。この場合、給紙エレベータ機構７１は、給紙トレイ２に積重ねられた印刷用紙Ｐ…の最上面位置を検出する不図示のフェイスコントロールセンサを備えており、この最上面位置が下降すれば、給紙エレベータ機構７１が駆動制御され、最上面位置が常に定位置に維持される。また、給紙ローラ機構６は、本発明の要部を構成するものであり、具体的な構成及び動作については後述する。
【００１６】
搬送部Ｕ２は、複数の搬送ローラ７２…を備えており、給紙ローラ機構６から送り出された印刷用紙Ｐをカラー印刷部Ｕ３まで搬送する機能を有する。この場合、各搬送ローラ７２…の間隔は、搬送する印刷用紙Ｐの最小サイズよりも短い間隔に設定される。また、搬送部Ｕ２は、搬送する印刷用紙Ｐの角度（向き）を一定に揃えるスキュー修正機能等の各種補正機能を備えている。
【００１７】
カラー印刷部Ｕ３は、主要構成として、現像部７３，転写部７４及び定着部７５を備えている。この場合、現像部７３は、後述するコンピュータＣから転送される印刷画像データに基づいて、半導体ドラム（感光体）上に静電気画像を形成するとともに、この静電気画像にカラートナーを付着させる機能を有し、Ｙ（イエロー）現像ユニット７３ｙ，Ｍ（マゼンタ）現像ユニット７３ｍ，Ｃ（シアン）現像ユニット７３ｃ，Ｂｋ（ブラック）現像ユニット７３ｂｋを備える。また、転写部７４は、現像部７３によって得られたトナー像を、搬送される印刷用紙Ｐに転写する機能を備える。さらに、定着部７５は、転写部７４により印刷用紙Ｐに転写されたトナー像を加熱及び加圧して印刷用紙Ｐに固定（定着）する機能を備える。
【００１８】
排紙部Ｕ４は、排出ローラ７６及びスタッカ機構７７を備える。スタッカ機構７７は、排出ローラ７６から排出される印刷用紙Ｐ…を受け取るとともに、積重ねられる印刷用紙Ｐ…の重さに応じて順次下降する。また、排紙部Ｕ４には、冷却機構部７８を備えており、排出ローラ７６から排出される印刷用紙Ｐに対して送風を行うことにより加熱された印刷用紙Ｐを冷却（空冷）する。
【００１９】
この印刷装置Ｍは、コンピュータに接続して使用する。図７は、印刷装置ＭとコンピュータＣを接続した印刷システムＳを示す。この場合、印刷装置Ｍのインタフェース５１とコンピュータＣのインタフェース５２を接続手段５３により接続する。なお、インタフェース５１，５２は、パラレル方式であってもよいしシリアル方式であってもよい。また、接続手段５３は、有線方式であってもよいし無線方式であってもよい。印刷装置Ｍは、プリントコントローラ５４及びメモリ５５等を有する主要部を備え、印刷装置Ｍでは、このプリントコントローラ５４による制御により印刷が行われる。一方、コンピュータＣには、ＣＰＵ等を含む処理部５７、ハードディスク，ＲＯＭ，ＲＡＭ等を含むメモリ５８等の主要部を備える汎用パーソナルコンピュータを使用できる。特に、コンピュータＣには、アプリケーションソフトウェアによりインストールしたプリンタドライバ６０を備え、このプリンタドライバ６０により印刷装置Ｍを動作させる各種印刷条件が設定されるとともに、コンピュータＣから印刷画像データが印刷装置Ｍに転送される。コンピュータＣと印刷装置Ｍは、双方向通信が可能であり、コンピュータＣの制御による印刷も可能である。
【００２０】
次に、本実施形態に係る給紙機構１の具体的構成について、図１及び図２を参照して説明する。
【００２１】
給紙機構１は、前述した給紙ローラ機構６を備え、この給紙ローラ機構６は、給紙トレイ２に積重ねられた印刷用紙Ｐ…の上面に当接するピックアップローラ３と、このピックアップローラ３の搬送方向Ｆｃ前方に配したフィードローラ４と、このフィードローラ４の下方に配したリタードローラ５とを有し、ピックアップローラ３とフィードローラ４を回転させて印刷用紙Ｐを送り出すとともに、フィードローラ４とリタードローラ５により印刷用紙Ｐを一枚ずつ分離して前方に送り出す機能を有する。  
【００２２】
ピックアップローラ３は、フィードローラ４のシャフト２１により前部が回動変位自在に支持されたブラケット２２の後部に回動自在に支持される。これにより、ピックアップローラ３は、シャフト２１を支点として上下に回動変位することができる。さらに、図１に、破線で示す固定された中間シャーシ２３には、仮想線で示す縦方向の開口部２４を設けるとともに、ピックアップローラ３のシャフト２５の一端は、さらに軸方向外方に延出形成して係合部２５ｓとし、この係合部２５ｓは、開口部２４を通して中間シャーシ２３の外方に突出させる。これにより、係合部２５ｓの上下変位は、開口部２４により許容される。
【００２３】
また、中間シャーシ２３の外面には、駆動ソレノイド１１を取付ける。この駆動ソレノイド１１は、通電（励磁）によりプランジャ１１ｐが引き込まれ、図２に示す下降位置へ変位するとともに、通電（励磁）の解除によりプランジャ１１ｐが突出し、図１に示す上昇位置へ変位する。さらに、Ｔ形に形成したレバー部材２６を備え、このレバー部材２６における水平部２６ｈの一端部は、中間シャーシ２３の外面に固定した支軸部２７により回動自在に支持される。この際、水平部２６ｈの他端部は、係合部２５ｓの下方に位置させるとともに、垂直部２６ｖの下端部には、切欠係合部２８を形成し、この切欠係合部２８をプランジャ１１ｐの先端に設けた係合ピン２９に係合させる。また、支軸部２７には、コイルスプリング３０を装着し、レバー部材２６における水平部２６ｈの他端部を上方に付勢する。
【００２４】
以上により、ローラ変位手段７が構成され、駆動ソレノイド１１に対して通電（励磁）を解除した状態では、プランジャ１１ｐが突出するため、コイルスプリング３０により付勢されたレバー部材２６の水平部２６ｈが、支軸部２７を支点に反時計方向へ回動変位する。この結果、レバー部材２６における水平部２６ｈの他端部は、図１に示すように、係合部２５ｓに対して下側から係止し、係合部２５ｓを上方へ変位、即ち、ピックアップローラ３を印刷用紙Ｐの上面から離間するリリース位置Ｘｒに変位させる。一方、駆動ソレノイド１１に対して通電（励磁）した状態では、プランジャ１１ｐが引込まれるため、レバー部材２６の垂直部２６ｖがプランジャ１１ｐにより下降せしめられ、レバー部材２６の水平部２６ｈは、支軸部２７を支点に時計方向へ回動変位する。この結果、レバー部材２６における水平部２６ｈの他端部は、図２に示すように、下降位置に変位するため、係合部２５ｓとの係止が解除され、ピックアップローラ３は自重で下降し、印刷用紙Ｐの上面に当接するセット位置Ｘｓに変位する。
【００２５】
なお、フィードローラ４は不図示のローラ駆動機構部により回転駆動されるとともに、ピックアップローラ３は、不図示の回転伝達ギア機構を介してフィードローラ４と一体に回転（同期回転）する。このフィードローラ４を回転駆動するローラ駆動機構部は、プリントコントローラ５４により制御される。このように、ローラ変位手段７として、昇降変位可能に支持されたピックアップローラ３を、少なくともリリース位置Ｘｒ又はセット位置Ｘｓの一方に変位させる駆動ソレノイド１１を用いて構成したため、実施の容易化と低コスト化に貢献できる利点がある。
【００２６】
他方、ピックアップローラ３により送り出された印刷用紙Ｐがフィードローラ４により送り出される位置まで移動したことを検出する検出手段８を配設する。検出手段８には、図２に示すような検出レバー３５ｒを有する検出スイッチ３５を利用できる。検出スイッチ３５は、無検出状態では、図２に示すように、検出レバー３５ｒが上方へ変位してＯＦＦするとともに、印刷用紙Ｐが通過する際には、図１に示すように、印刷用紙Ｐに下方へ押されてＯＮする。この場合、検出スイッチ３５の配設位置は、印刷用紙Ｐがフィードローラ４とリタードローラ５間に進入した直後のタイミングを検出できる位置を設定することが望ましい。
【００２７】
さらに、検出スイッチ３５のＯＮにより駆動ソレノイド１１を制御してピックアップローラ３をリリース位置Ｘｒに変位させ、かつフィードローラ４により送り出される印刷用紙Ｐに対する給紙が終了したなら駆動ソレノイド１１を制御してピックアップローラ３をセット位置Ｘｓに変位させる制御手段９を設ける。この制御手段９には、前述したプリントコントローラ５４が用いる。このため、プリントコントローラ５４の出力側には駆動ソレノイド１１を接続するとともに、プリントコントローラ５４の入力側には、検出スイッチ３５を接続する。
【００２８】
次に、本実施形態に係る給紙方法を含む給紙機構１の動作について、各図を参照しつつ図３に示すフローチャートに従って説明する。
【００２９】
まず、印刷用紙Ｐ…を給紙トレイ２上にセットする。印刷用紙Ｐ…は、片面が印刷済の印刷用紙である。なお、本実施形態に係る給紙方法は、特に、片面が印刷済の印刷用紙Ｐ…に用いて効果があるため、モード選択により、片面が印刷済の印刷用紙Ｐ…を印刷するときのみ、本実施形態に係る給紙方法が実行されるように選択することができる。この場合、コンピュータＣにおけるプリンタドライバ６０を起動させ、ディスプレイに表示されるプロパティ画面からモード選択を行うことができる。
【００３０】
一方、プロパティ画面における開始キーをＯＮすることにより、コンピュータＣから設定データ及び印刷画像データが印刷装置Ｍに転送され、メモリ５５に記憶される。そして、印刷装置Ｍの印刷準備が完了すれば、給紙ローラ機構６が作動し、給紙トレイ２上に装填された印刷用紙Ｐは、ピックアップローラ３により前方へ送り出される（ステップＳ１，Ｓ２）。したがって、給紙ローラ機構６が作動する時点では、駆動ソレノイド１１は通電（励磁）制御され、ピックアップローラ３は、図２に示すセット位置Ｘｓにある。この状態を図４（ａ）に示す。
【００３１】
そして、印刷用紙Ｐが前進移動し、フィードローラ４により送り出される位置まで移動すれば、検出スイッチ３５がＯＮすることにより、印刷用紙Ｐの先端が検出されるため、プリントコントローラ５４は、直ちに、駆動ソレノイド１１の通電（励磁）を解除する制御を行う（ステップＳ３，Ｓ４）。これにより、レバー部材２６が上方へ変位し、係合部２５ｓを持ち上げることにより、ピックアップローラ３を印刷用紙Ｐの上面から離間するリリース位置Ｘｒに変位させる（ステップＳ５）。この状態を図４（ｂ）に示す。よって、ピックアップローラ３による印刷用紙Ｐに対する加圧が解除されるため、印刷用紙Ｐ…同士の擦れが回避される。即ち、ピックアップローラ３の加圧による印刷用紙Ｐ…同士における擦れの発生は、ピックアップローラ３の回転が開始して印刷用紙Ｐがフィードローラ４に達するまでの僅かな区間Ｌｓのみとなり、印刷用紙Ｐ…同士の擦れは大幅に低減され、特に、片面が印刷済の印刷用紙Ｐ…における白地を無用に汚してしまう不具合を解消又は大幅に低減することができる。なお、図４（ｃ）は、印刷用紙Ｐがフィードローラ４のみにより送り出される状態を示している。
【００３２】
また、印刷用紙Ｐがフィードローラ４のみにより送り出され、印刷用紙Ｐに対する給紙が終了すれば、給紙ローラ機構６の作動が停止する（ステップＳ６，Ｓ７，Ｓ８）。この場合、印刷用紙Ｐに対する給紙の終了は、印刷用紙Ｐの後端が検出スイッチ３５を通過し、検出スイッチ３５がＯＦＦしたことに基づいて検出でき、例えば、この検出スイッチ３５がＯＦＦした後、所定の設定時間（余裕時間）が経過した後、給紙ローラ機構６の作動を停止させることができる。そして、この給紙ローラ機構６の作動の停止と同時又はこの後に、駆動ソレノイド１１を通電（励磁）制御する（ステップＳ９）。これにより、ピックアップローラ３は、印刷用紙Ｐの上面に当接するセット位置Ｘｓに変位する。以下、次の印刷用紙Ｐの給紙に対しても同様の動作が実行される（ステップＳ１０，Ｓ１…）。
【００３３】
以上、最良の実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００３４】
例えば、ローラ変位手段７として、セット位置Ｘｓに変位させる駆動ソレノイド１１とリリース位置Ｘｒに変位させるスプリング３０を用いた場合を示したが、スプリング３０を用いることなく両方向駆動タイプの駆動ソレノイドによりセット位置Ｘｓ及びリリース位置Ｘｒに変位させてもよいし、駆動ソレノイドの代わりに駆動モータ等の他の駆動手段を用いてもよい。また、検出手段８として検出スイッチ３５を用いた場合を示したが、光センサ等の他の検出手段８を用いてもよい。さらに、制御手段９として、プリントコントローラ５４を利用した場合を示したが、プリントコントローラ５４を利用することなく、検出手段８の検出結果に対応してローラ変位手段７を制御できる簡単なシーケンス回路を別途設けてもよい。
【図面の簡単な説明】
【００３５】
【図１】本発明の最良の実施形態に係る給紙機構におけるピックアップローラをリリース位置に変位させた状態の側面構成図、
【図２】同給紙機構におけるピックアップローラをセット位置に変位させた状態の側面構成図、
【図３】本実施形態に係る給紙方法を含む同給紙機構の動作を説明するためのフローチャート、
【図４】同給紙機構の作用説明図、
【図５】同給紙機構を備える印刷装置の外観斜視図、
【図６】同印刷装置における機械系の概略構成図、
【図７】同印刷装置とコンピュータを接続した印刷システムのブロック系統図、
【符号の説明】
【００３６】
１    給紙機構
２    給紙トレイ
３    ピックアップローラ
４    フィードローラ
５    リタードローラ
６    給紙ローラ機構
７    ローラ変位手段
８    検出手段
９    制御手段
１１  駆動ソレノイド
Ｍ    印刷装置
Ｐ…  印刷用紙
Ｆｃ  搬送方向
Ｘｓ  セット位置
Ｘｒ  リリース位置
【図１】
2006027780.tif 000003
【図２】
2006027780.tif 000004
【図３】
2006027780.tif 000005
【図４】
2006027780.tif 000006
【図５】
2006027780.tif 000007
【図６】
2006027780.tif 000008
【図７】
2006027780.tif 000009